(57)【要約】【課題】取り扱い性の向上を図ることができるとともに高い強度を有し、単純な形状にすることができる照明器具を提供する。【解決手段】照明器具１０は、長手方向に配置された複数の本体部１３，１４と、本体部１３，１４に取付けられた反射板支持部材１５と、反射板支持部材１５により取付けられる単一の反射板１１と、反射板１１の内面に長手方向に配置される直管状の蛍光ランプ１２と、を備え、隣接する本体部１３，１４を結合するための接続部材１７を設けた。【選択図】図３
2011044391.tif 000002
【特許請求の範囲】
【請求項１】
長手方向に配置された複数の本体部と、
前記本体部に取付けられた反射板支持部材と、
前記反射板支持部材により取付けられる単一の反射板と、
前記反射板の内面に長手方向に配置される直管状の蛍光ランプと、
を備えた照明器具において、
隣接する前記本体部を結合するための接続部材を設けたことを特徴とする照明器具。
【請求項２】
前記接続部材と、分割した前記本体部と、の間に配策可能な空間部を設け、前記空間部内に電線の送りを可能としたことを特徴とする請求項１に記載した照明器具。
【請求項３】
前記本体部は、内側に取付けられる端子台に電源線を引込むための引込穴と、前記端子台から隣接する前記本体部へ配線するための導出穴と、を形成しており、前記接続部材は、少なくとも前記導出穴を覆うように形成されていることを特徴とする請求項１または２に記載した照明器具。
【発明の詳細な説明】
【技術分野】
【０００１】
本発明は、例えば住宅や工場等の天井面に取り付けられる照明器具に関する。
【背景技術】
【０００２】
従来の照明器具の一例として、反射板に、ランプの光を反射する主反射板と、主反射板に照射されないランプからの光を反射してソケット近傍を照射させる補助反射板と、を備えた照明器具がある（例えば、特許文献１参照）。
【０００３】
上記特許文献１に開示された照明器具では、複数の反射板を連続して配置することにより、複数の反射板を連続させて、一様に長いランプによる照明と同等の照射を行うようにしている。
【０００４】
従来の照明器具の他の一例として、複数の器具本体の端面同士を対向させて直線状に設置した照明器具がある（例えば、特許文献２参照）。
【０００５】
上記特許文献２に開示された照明器具では、複数の器具本体を一体的に組み立てるようにしている。
【先行技術文献】
【特許文献】
【０００６】
【特許文献１】特開２００３−２８１９０２号公報（図１、請求項１）
【特許文献２】特開２００９−５４５４５号公報（図３、請求項１）
【発明の概要】
【発明が解決しようとする課題】
【０００７】
ところが、上述した特許文献１に開示された従来の照明器具においては、分離された反射板を接続させている。
従って、部品点数が増加することにより、部品管理の増大やコストの増加の虞がある。
【０００８】
また、上述した特許文献２に開示された従来の照明器具においては、分離された器具本体を接続させている。
従って、部品点数が増加することにより、部品管理の増大やコストの増加の虞がある。
【０００９】
そこで、単一の反射板を形成した長尺の器具本体を作成し、この器具本体に、複数のソケットや端子台を装備した本体部を取り付けるようにした照明器具が提案された。
【００１０】
しかし、このような照明器具では、器具本体および本体部がいずれも長尺になる。
従って、加工性、運搬性、在庫する場合の保管性に優れるとは言えないばかりか、部品強度が必要になったり、部品形状が複雑になったりして取扱い性に劣るという課題があった。
【００１１】
本発明は、前述した課題を解決するためになされたものであり、その目的は、取り扱い性の向上を図ることができるとともに高い強度を有し、単純な形状にすることができる照明器具を提供することにある。
【課題を解決するための手段】
【００１２】
本発明に係る照明器具は、長手方向に配置された複数の本体部と、前記本体部に取付けられた反射板支持部材と、前記反射板支持部材により取付けられる単一の反射板と、前記反射板の内面に長手方向に配置される直管状の蛍光ランプと、を備えた照明器具において、隣接する前記本体部を結合するための接続部材を設けたことを特徴とする。
【００１３】
本発明において、複数の本体部は、接続部材により結合されて反射板支持部材を介して単一の反射板に取り付けられる。
これにより、本体部を短尺の複数にすることができる。
従って、長尺の本体部を用いる場合と比べて取り扱い性の向上を図ることができる。
【００１４】
本発明において、複数の本体部は、接続部材により結合される。
これにより、本体部と接続部材とにより一体的な構造体を形成することができる。
従って、照明器具全体の剛性を高めて強度を高くすることができるとともに単純な形状にすることができる。
【００１５】
本発明に係る照明器具は、上記照明器具において、前記接続部材と、分割した前記本体部と、の間に配策可能な空間部を設け、前記空間部内に電線の送りを可能としたことを特徴とする。
【００１６】
本発明において、分割した複数の本体部と、複数の本体部を接続した接続部材と、の間に設けられた空間部を介して電線送りが行われる。
これにより、他の部品に干渉せずに電線送りを行うことができる。
従って、電線送りを簡単に行うことができる。
【００１７】
本発明に係る照明器具は、上記照明器具において、前記本体部は、内側に取付けられる端子台に電源線を引込むための引込穴と、前記端子台から隣接する前記本体部へ配線するための導出穴と、を形成しており、前記接続部材は、少なくとも前記導出穴を覆うように形成されていることを特徴とする。
【００１８】
本発明において、電源線は本体部の引込穴を通じて本体部の内側に引き込まれて端子台に電気的に接続され、端子台からは器具配線が導出穴を通じて隣接する本体部へ配線される。そして、接続部材により少なくとも導出穴が覆われる。
これにより、導出穴および器具配線が接続部材により被覆される。
従って、本体部間の器具配線を保護することができる。
【発明の効果】
【００１９】
本発明の照明器具によれば、隣接する本体部を結合するための接続部材を設けた。
これにより、取り扱い性の向上を図ることができるとともに高い強度を有し、単純な形状にすることができるという効果を有する。
【図面の簡単な説明】
【００２０】
【図１】本発明に係る一実施形態の照明器具の斜め下方から視た外観斜視図
【図２】図１の照明器具の斜め上方から視た外観斜視図
【図３】図１の照明器具の各部品の組付け関係を説明する分解斜視図
【図４】図１の照明器具の接続部材周りの垂直断面図
【発明を実施するための形態】
【００２１】
以下、本発明の一実施形態に係る照明器具について図面を参照して説明する。
【００２２】
図１、図２に示すように、本発明の一実施形態である照明器具１０は、単一の反射板１１と、反射板１１の内面に長手方向に配置される二対の直管状の蛍光ランプ１２と、反射板１１の長手方向に配置された複数の第１本体部１３および第２本体部１４と、第１本体部１３および第２本体部１４にそれぞれ取付けられた二対の反射板支持部材１５と、第１本体部１３および第２本体部１４に取り付けられた二対のソケット１６と、隣接する第１本体部１３および第２本体部１４を結合する接続部材１７とを備えて、不図示の天井面に取り付けられる。
【００２３】
反射板１１は、器具本体として機能するものとして比較的薄い金属製板部材を用いて成形されている。反射板１１は、天板１８と、一対の短寸側板１９と、一対の長寸側板２０とを有して下方を開放している。
【００２４】
図３に示すように、反射板１１の天板１８には、第１本体部１３の二対のソケット１６および第２本体部１４の二対のソケット１６に対応して四角形に切除された８個のソケット挿通穴２１を有し、それぞれの反射板支持部材１５に対応して丸形に切除された８個の反射板支持部材取付用穴２２を有する。
【００２５】
第１本体部１３および第２本体部１４は、反射板１１と同様の金属製板部材や硬質の樹脂材料を用いてそれぞれ筒形状に形成されている。
【００２６】
第１本体部１３および第２本体部１４は、反射板１１の長さ寸法Ｌ１の略半分の長さ寸法Ｌ２を有し、反射板１１の幅寸法Ｌ３よりも小さい幅寸法Ｌ４を有して反射板１１の長手方向にそれぞれ配置される。
【００２７】
第１本体部１３および第２本体部１４は、内部に端子台２３，２４をそれぞれ取り付けている。
【００２８】
第１本体部１３は、端子台２３の近傍の天部に、引込穴２５と導出穴２６とを形成している。
【００２９】
第１本体部１３は、その両端部にソケット支持部材２７をそれぞれ取り付けており、ソケット支持部材２７のそれぞれにソケット１６を２個ずつ取り付けている。ソケット１６はソケット支持部材２７の下方に向けて突出配置されている。
【００３０】
第１本体部１３は、その両端部寄りに一対の反射板支持部材１５を取り付けている。反射板支持部材１５は、金属製や樹脂製であって略コ字形状の外形を有しており、水平に配置される基部２８の両端部に足部２９をそれぞれ接続している。
【００３１】
反射板支持部材１５は、その基部２８に、反射板１１の天板１８に形成されている反射板支持部材取付用穴２２に対応した取付穴３０をそれぞれ形成している。
【００３２】
第２本体部１４は、端子台２４の近傍の天部に、引込穴３１と導出穴３２とを形成している。
【００３３】
第２本体部１４は、その両端部にソケット支持部材３３をそれぞれ取り付けており、ソケット支持部材３３のそれぞれにソケット１６を２個ずつ取り付けている。ソケット１６はソケット支持部材３３の下方に向けて突出配置されている。
【００３４】
第２本体部１４は、その両端部寄りに基部２８と足部２９とを有する一対の反射板支持部材１５を取り付けており、反射板支持部材１５は基部２８に取付穴３０を形成している。
【００３５】
接続部材１７は、反射板１１の長さ寸法Ｌ１よりも十分に短く、且つ各本体部１３，１４の幅寸法Ｌ４に同等の幅寸法Ｌ５で、各本体部１３，１４の長さ寸法Ｌ２よりも長い長さ寸法Ｌ６を有する水平断面視コ字形状に形成されている。
【００３６】
接続部材１７の長さ寸法Ｌ６は、第１本体部１３および第２本体部１４を連続して接続した全体の長さ寸法（図２参照）Ｌ７よりも十分に短い。
【００３７】
接続部材１７は、その天部の両端部寄りに複数の本体部取付穴３４を形成しており、コ字形状の内側に電線収容空間部３５を形成している。本体部取付穴３４には、連続して接続配置された両本体部１３，１４の天部に対してネジ（図２参照）３６がねじ込まれる。
【００３８】
次に、照明器具１０の組立て手順について説明する。
【００３９】
図３を参照して、第１本体部１３内の端子台２３に電源線１を接続する。電源線１は第１本体部１３の引込穴２５から第１本体部１３の内部へ引き込まれ、端子台１３に電気的に接続される。
【００４０】
次に、端子台２３に器具配線２の一端部を電気的に接続し、その器具配線２の他端部を第１本体部１３の導出穴２６から第１本体部１３の天部上に引き出し、引き出した器具配線２を第２本体部１４の導出穴３２を通じて第２本体部１４の内部へ引き込む。
【００４１】
そして、第２本体部１４の内部に引き込まれた器具配線２を第２本体部１４内の端子台２４に電気的に接続する。
【００４２】
これにより、第１本体部１３内の端子台２３から不図示の配線を通じてソケット支持部材２７に取り付けられているそれぞれのソケット１６に通電経路が形成され、第２本体部１３内の端子台２４から不図示の配線を通じてソケット支持部材３３に取り付けられているそれぞれのソケット１６に通電経路が形成される。
【００４３】
次に、第１本体部１３と第２本体部１４との両端部をそれぞれ当接させながら接続部材１７を両本体部１３，１４に取り付ける。
【００４４】
接続部材１７は、その電線収容空間部３５内に器具配線２を収容し、その天部の本体部取付穴３４を通じて両本体部１３，１４の天部にネジ３６がねじ込まれることにより両本体部１３，１４を直線的に連続接続させる。
これにより、接続部材１７により第１本体部１３の導出穴２６、第２本体部１４の導出穴３２および各本体部１３，１４上の器具配線２を覆うことになる。
【００４５】
次に、第１本体部１３のソケット１６を反射板１１のソケット挿通穴２１にそれぞれ挿通しながら反射板支持部材１５を反射板１１の両長寸側板２０に添わせるとともに、第２本体部１４のソケット１６を反射板１１のソケット挿通穴２１にそれぞれ挿通しながら反射板支持部材１５を反射板１１の両長寸側板２０に添わせて第１本体部１３および第２本体部１４を反射板１１に位置決めする。
【００４６】
そして、第１本体部１３における反射板支持部材１５の取付穴３０を通じて反射板１１の天板１８の反射板支持部材取付用穴２２にネジ（図２参照）３７をねじ込ませるとともに、第２本体部１４における反射板支持部材１５の取付穴３０を通じて反射板１１の天板１８の反射板支持部材取付用穴２２にネジ（図２参照）３７をねじ込ませる。
【００４７】
これにより、接続部材１７により一体構造をなす両本体部１３，１４は、反射板１１の天板１８上に組付けられる。
【００４８】
図４に示すように、両本体部１３，１４を接続した接続部材１７は、その電線収容空間部３５に収容している器具配線２の電線送りが行われる。
これにより、他の部品に干渉せずに電線送りを行うことができる。
【００４９】
以上説明してきたように、本発明の一実施形態の照明器具１０では、複数の本体部１３，１４は、接続部材１７により結合されて反射板支持部材１５を介して単一の反射板１１に取り付けられる。
これにより、本体部１３，１４を短尺の複数にすることができる。
従って、長尺の本体部を用いる場合と比べて取り扱い性の向上を図ることができる。
【００５０】
本発明の一実施形態の照明器具１０では、複数の本体部１３，１４は、接続部材１７により結合される。
これにより、本体部１３，１４と接続部材１７とにより一体的な構造体を形成することができる。
従って、照明器具１０全体の剛性を高めて強度を高くすることができるとともに単純な形状にすることができる。
【００５１】
本発明の一実施形態の照明器具１０では、分割した複数の本体部１３，１４と、複数の本体部１３，１４を接続した接続部材１７と、の間に設けられた電線収容空間部３８を介して器具配線２の電線送りが行われる。
これにより、他の部品に干渉せずに電線送りを行うことができる。
従って、電線送りを簡単に行うことができる。
【００５２】
本発明の一実施形態の照明器具１０では、電源線１は本体部１３の引込穴２５を通じて本体部１３の内側に引き込まれて端子台２３に電気的に接続され、端子台２３からは器具配線２が導出穴２６を通じて隣接する本体部１４の導出穴３２から端子台２４へ配線される。そして、接続部材１７により少なくとも導出穴２６，３２が覆われる。
これにより、導出穴２６，３２および器具配線２が接続部材１７により被覆される。
従って、本体部１３，１４間の器具配線２を保護することができる。
【００５３】
なお、前記実施形態で使用した反射板１１、蛍光ランプ１２、ソケット１６等は例示したものに限定するものではなく適宜変更が可能である。
【符号の説明】
【００５４】
１  電源線
１０  照明器具
１１  反射板
１２  蛍光ランプ
１３  第１本体部（本体部）
１４  第２本体部（本体部）
１５  反射板支持部材
１７  接続部材
２３、２４  端子台
２５、３１  引込穴
２６、３２  導出穴
３５  電線収容空間部（空間部）
【図１】
2011044391.tif 000003
【図２】
2011044391.tif 000004
【図３】
2011044391.tif 000005
【図４】
2011044391.tif 000006